(57)【要約】      （修正有）【課題】廃棄された後で生分解が可能であり、環境に汚染と衝撃をもたらさない、携帯機器に適用する生分解性の保護装置を提供する。【解決手段】携帯機器に適用する生分解性の保護装置であって、生分解性のプラスチックから作製される保護装置本体１０と、生分解性の材質から作製され、保護装置本体１０に接続され、携帯機器を保護するための保護層２０とを備える。【選択図】図１
0003210977.tif 000002
【実用新案登録請求の範囲】
【請求項１】
携帯機器に適用する生分解性の保護装置であって、
生分解性のプラスチックから作製される保護装置本体と、
生分解性の材質から作製され、前記保護装置本体に接続され、前記携帯機器を保護するための保護層と、
を備えることを特徴とする生分解性の保護装置。
【請求項２】
前記保護層は動物の皮革から作製される保護層であることを特徴とする請求項１に記載の生分解性の保護装置。
【請求項３】
前記保護層は植物の皮革から作製される保護層であることを特徴とする請求項１に記載の生分解性の保護装置。
【請求項４】
前記保護層は生分解性の繊維布から作製される保護層であることを特徴とする請求項１に記載の生分解性の保護装置。
【請求項５】
前記保護層は上から下へ順に生地層及び裏打ち層が積層して設けられた層であることを特徴とする請求項１に記載の生分解性の保護装置。
【請求項６】
前記保護層は、上から下へ順に生地層、支持層、及び裏打ち層が積層して設けられた層であることを特徴とする請求項１に記載の生分解性の保護装置。
【請求項７】
前記生地層は動物の皮革から作製される層であり、
前記裏打ち層は生分解性の繊維布から作製される層であることを特徴とする請求項５又は６に記載の生分解性の保護装置。
【請求項８】
前記生地層は植物の皮革から作製される層であり、
前記裏打ち層は生分解性の繊維布から作製される層であることを特徴とする請求項５又は６に記載の生分解性の保護装置。
【請求項９】
前記生地層は生分解性の繊維布から作製される層であり、
前記裏打ち層は生分解性の繊維布から作製される層であることを特徴とする請求項５又は６に記載の生分解性の保護装置。
【請求項１０】
前記支持層は生分解性のプラスチックから作製される層であることを特徴とする請求項６に記載の生分解性の保護装置。
【考案の詳細な説明】
【技術分野】
【０００１】
本考案は保護装置に関し、特に生分解性の保護装置に関する。
【背景技術】
【０００２】
科学技術の進歩に伴い、携帯機器（例えば携帯電話など）が数多く製造使用されており、傷付きを防ぐために、ほぼいずれの携帯機器にも追加装備としての保護装置が外付けされることによって、適当に携帯機器を覆って保護する。
【０００３】
しかしながら、多量の携帯機器の入れ替えに伴い、保護装置も多量に廃棄される。更に、保護装置は石油をマトリックスとするプラスチック関連材質、例えばＰＰ、ＰＵ、ＥＶＡ、レーヨン、人工皮革等から作製されることが多いため、応用面では低コストのメリットがあるものの、廃棄物の処理面では環境に大きな汚染と衝撃をもたらすこととなる。
【０００４】
以上のことから、本考案者は上述の欠点を改善できると考え、特に鋭意検討し学理の応用に合わせ、設計が合理で前記欠点を効果的に改善する考案を提案する。
【考案の概要】
【考案が解決しようとする課題】
【０００５】
本考案の主な目的は、廃棄された後で生分解が可能であり、環境に汚染と衝撃をもたらさない、携帯機器に適用する生分解性の保護装置を提供することにある。
【課題を解決するための手段】
【０００６】
上述したことを達成するために、本考案は、携帯機器に適用する生分解性の保護装置であって、生分解性のプラスチックから作製される保護装置本体と、生分解性の材質から作製され、前記保護装置本体に接続されると共に、前記携帯機器を保護するための保護層とを備える生分解性の保護装置を提供する。
一つの実施例では、保護層は携帯機器のスクリーンの上方に被覆係合されることが可能である。
【考案の効果】
【０００７】
本考案に係る携帯機器に適用する生分解性の保護装置は、「保護装置本体が生分解性のプラスチックから作製される」及び「保護層が生分解性の材質から作製される」という全体設計により、廃棄された後で完全に生分解でき、環境に汚染と衝撃をもたらさない効果を奏することができる。
【図面の簡単な説明】
【０００８】
【図１】図１は本考案の生分解性の保護装置の概略斜視図である。
【図２】図２は本考案の生分解性の保護装置の概略斜視図である。
【図３】図３は本考案の生分解性の保護装置の概略斜視図である。
【図４】図４は本考案の生分解性の保護装置の概略斜視図である。
【図５】図５は本考案の生分解性の保護装置の概略斜視図である。
【図６】図６は本考案の生分解性の保護装置の保護層の構造模式図である。
【図７】図７は本考案の生分解性の保護装置の保護層の構造模式図である。
【図８】図８は本考案の生分解性の保護装置の保護層の構造模式図である。
【考案を実施するための形態】
【０００９】
本考案の特徴及び技術内容がより一層分かるように、本考案は実施例と添付図面に基づき以下の通りに説明し、当業者は本明細書に開示される内容から本考案の他のメリットと効果を容易に理解できる。本考案は他の異なる具体的実施例により実行又は応用してもよく、本明細書における各詳細も異なる観点と応用に基づき、本考案の主旨を逸脱することなく種々の変形と変更を行うことができる。従って、本考案における全ての実施例は説明用のものであり、制限するためのものではなく、明細書における実施例の他に、本考案は広く他の実施例に用いられても良く、且つ本考案はいずれかの実施例に制限されず、実用新案登録請求の範囲及びその同等の分野によって決められるべきである。
【００１０】
図１乃至図８を参照する。簡単に言えば、図１乃至図５は本考案の生分解性の保護装置の５つの実施例の概略斜視図である。図６、図７及び図８は本考案の生分解性の保護装置の保護層の３つの形態の構造模式図である。
【００１１】
図１に示すように、本考案の生分解性の保護装置は例えば携帯電話（図示せず）などの携帯機器に適用する。生分解性の保護装置は、保護装置本体１０と保護層２０とを備える。保護装置本体１０は生分解性のプラスチック（ｂｉｏｄｅｇｒａｄａｂｌｅ  ｐｌａｓｔｉｃ）から作製されたものである。保護装置本体１０は携帯機器を載せるためのものである。生分解性のプラスチックは自然界で分解できるプラスチック材質であり、例えば細菌、黴菌、藻類等の自然の微生物により作用されて分解する分解可能なプラスチックである。生分解性のプラスチックの内容物は従来のプラスチック成分を含まない。詳しく説明すると、本実施例の生分解性のプラスチックは、ポリ乳酸（Ｐｏｌｙｌａｃｔｉｃ  Ａｃｉｄ、ＰＬＡ）から作製されてもよい。保護層２０は、生分解性の材質（ｂｉｏｄｅｇｒａｄａｂｌｅ  ｍａｔｅｒｉａｌ）から作製されてもよい。保護層２０は、保護装置本体１０に接続される。保護層２０は携帯機器を保護するためのものである。本実施例では、保護層２０は可動自在に保護装置本体１０に接続される。すなわち、保護層２０は保護装置本体１０に対して被覆係合されたり持ち上げたりすることができる。保護層２０は、携帯機器のスクリーンを保護するために、携帯機器のスクリーンの上方に被覆係合されることが可能である。
【００１２】
さらには、図６に示すように、保護層２０は枚葉式の構造である。保護層２０は動物の皮革から作製されてもよく、良い生物分解性質を有する動物の皮革から作製される。好ましくは、保護層２０は生物分解性を有する。また、保護層２０は、植物の皮革から作製されてもよい。植物の皮革は自然の植物材料を採取して擬革材料に作製されたものである。植物の皮革は、例えばパラゴムノキの樹液から作製された植物の皮革、又はりんごジュースの残渣から作製されたりんごの皮革である。なお、保護層２０は樹皮から作製された皮革、又は竹皮から作製された皮革であってもよい。
【００１３】
別の実施形態では、図７に示すように、保護層２０は複合層構造である。保護層２０は、上から下へ順に生地層２０１及び裏打ち層２０２が積層して設けられた層である。生地層２０１及び裏打ち層２０２はそれぞれ皮革から作製されてもよい。生地層２０１及び裏打ち層２０２は、例えば植物の皮革から作製されてもよい。また、生地層２０１は動物の皮革又は植物の皮革から作製されてもよい。裏打ち層２０２は生分解性の繊維布から作製されてもよい。詳しくは、生地層２０１及び裏打ち層２０２は縫合又は接着により体化されても良い。
【００１４】
また、別の実施形態では、図８に示すように、保護層２０は複合層構造である。保護層２０は、上から下へ順に生地層２０１、支持層２０３、及び裏打ち層２０２が積層して設けられた層である。生地層２０１及び裏打ち層２０２は、それぞれ皮革から作製されてもよい。また、生地層２０１は動物の皮革又は植物の皮革から作製されてもよい。裏打ち層２０２は生分解性の繊維布から作製されてもよい。なお、生地層２０１と裏打ち層２０２の間には支持層２０３が設けられている。支持層２０３は生分解性のプラスチックから作製されてもよい。支持層２０３は、例えばポリ乳酸又はポリ乳酸改質材料から作製されてもよい。生地層２０１と裏打ち層２０２の間には支持層２０３が設けられることによって、保護層２０に生物分解性を付与するだけではなく、保護層２０の全体強度を向上できる。
【００１５】
一つの実施例では、図２に示すように、生分解性の保護装置は携帯電話にも適用できる。生分解性の保護装置における保護層２０は支持形態に折り返されたり、携帯機器のスクリーンの上方に被覆されたりすることができる。保護層２０の細部構造は図６を参照できる。
【００１６】
また、別の実施例では、図３に示すように、生分解性の保護装置はタブレットＰＣにも適用できる。生分解性の保護装置における保護層２０の細部構造は、図６乃至図８を参照できる。
【００１７】
なお、別の実施例では、図４に示すように、生分解性の保護装置は、携帯電話にも適用できる。部分的に保護装置本体１０の外表面を覆うように、生分解性の保護装置における保護層２０は部分的に保護装置本体１０の外表面に貼り付けられてもよい。もちろん、生分解性の保護装置における保護層２０は完全に保護装置本体１０の外表面を覆ってもよい。生分解性の保護装置における保護層２０の細部構造は図６乃至図８を参照できる。
【００１８】
別の実施例では、図５に示すように、前後から保護装置本体１０を覆うように、保護装置本体１０の外表面にも内表面にも保護層２０が貼り付けられてもよい。もちろん、保護層２０は、前後から保護装置本体１０を完全に覆ってもよい。生分解性の保護装置における保護層２０の細部構造も図６乃至図８を参照できる。
【００１９】
なお、本考案の生分解性の保護装置は、ノートパソコンにも適用できる。生分解性の保護装置における保護装置本体１０及び保護層２０の外輪郭はノートパソコンの外輪郭に応じて適当に変化しても良い。従って、本考案は保護装置本体１０及び保護層２０の外輪郭を制限することなく、実際の設計の要求に応じて適当に変化しても良い。
【００２０】
以上のことを纏めると、本考案の生分解性の保護装置は、「保護装置本体が生分解性のプラスチックから作製される」及び「保護層が生分解性の材質から作製される」という全体設計を介して、廃棄された後で完全に生分解でき、環境に汚染と衝撃をもたらさないことを確実に達成することができる。
【００２１】
なお、上述したのは本考案の好ましい実施例に過ぎず、本考案の実用新案登録請求の範囲を限定するものではないため、本考案の明細書及び図面の内容に基づき為された等価の変化は、全て同様に本考案の実用新案登録請求の範囲に含まれることをまず明らかにしておく。
【産業上の利用可能性】
【００２２】
本考案は保護装置に関し、有用である。
【符号の説明】
【００２３】
１０    保護装置本体
２０    保護層
２０１    生地層
２０２    裏打ち層
２０３    支持層
【図１】
0003210977.tif 000003
【図２】
0003210977.tif 000004
【図３】
0003210977.tif 000005
【図４】
0003210977.tif 000006
【図５】
0003210977.tif 000007
【図６】
0003210977.tif 000008
【図７】
0003210977.tif 000009
【図８】
0003210977.tif 000010